(57)【要約】      （修正有）【課題】簡単に補助的な表示ができるようにする。【解決手段】コンピュターシステムに備えられた標準的な通信ポートを利用して画像表示を行う補助的な表示装置を設けた。コンピュターシステム１はコンピュター本体５と主となる表示装置３とキーボード４と本案による表示装置２及び表示装置２とコンピュターを結ぶ通信ケーブル６より構成される。【選択図】図１
0003119015.tif 000002
【実用新案登録請求の範囲】
【請求項１】
コンピュターシステムの表示装置において、少なくとも画像表示器とメモリーとコントローラと通信器からなる補助的表示装置。
【請求項２】
コンピュターシステムの表示装置において、主となる表示装置とは別体で設けられ、コンピュターと通信器を通じて表示データーを受けとる事により表示を行う補助的表示装置。
【請求項３】
請求項１ないし２の補助的表示装置において前記通信器にＵＳＢ規格あるいはＩＥＥＥ１３９４規格を用いたことを特徴とする補助的表示装置。
【請求項４】
請求項３の補助的表示装置において外部メモリー装置のコントローラーを有する事を特徴とする補助的表示装置。
【請求項５】
請求項１ないし２の補助的表示装置において補助的表示装置の表示部の大きさが５インチ以下であることを特徴とする補助的表示装置。
【請求項６】
コンピュターシステムの表示装置において、少なくとも画像表示器とメモリーとコントローラとＵＳＢ通信器とＵＳＢ通信ケーブルからなる表示装置。
【請求項７】
請求項１ないし２の補助的表示装置において前記通信器が電磁波を用いてコンピュターシステムと通信することを特徴とする補助的表示装置。
【考案の詳細な説明】
【技術分野】
【０００１】  本考案は、コンピュターのプログラムにより様々な画像や文字データを表示する画像表示装置に関する。
【背景技術】
【０００２】  従来のコンピュターシステムでは主となる表示装置以外に補助的な表示を行うためにはグラフィックボードを追加して主となる表示装置と同等の表示装置を追加する必要があった。
【考案の開示】
【考案が解決しようとする課題】
【０００３】  従来は補助的な表示を行うには表示装置へデーターを送るためのグラフィックボードを追加する必要がありコンピュターシステムのコストアップとなった。また、ノートパソコンなどはグラフィックボードの拡張が出来ない機種がほとんどであるため、このような補助的表示装置を設けることが不可能であった。
また、従来は主となる表示装置の表示領域へ表示する方法があるが補助的な表示が主となる表示装置へ表示を行うプログラムの数や動作状況に影響されるという問題があった。
【課題を解決するための手段】
【０００４】  以上の課題を解決するために、本案ではコンピュターシステムに標準的に設けられた通信機能を利用して表示データを補助となる表示装置へ送り、あるいは補助となる表示装置を制御することにより、誰でも手軽に補助的な表示装置を利用できるようにした。
【考案の効果】
【０００５】  本案によればコンピュター本体の様々なアプリケーションンフトにより本案の補助的な表示装置を利用する事により主となる表示装置に関連性なく独自の表示を行う事ができる。よって、利用者が主となる表示装置上で何らかのプログラムを実施中でも前記表示内容に影響を与えることなく本案の補助的な表示装置に
様々な情報を表示して、利用者の作業の効率化が図れる。また、コンピュター本体で動作するソフトウエアーによる主となる表示装置の表示内容と関連性を持たせた表示内容を本案による補助的な表示装置へ表示することにより前記ソフトウエアーによる利用者の利便性が飛躍的に高まる。
さらに、本案による補助的な表示装置へ風景写真等の表示を行うことによりコンピュター利用者の疲れを癒すことが出来る。
また、簡単且つ低価格でコンピュターの表示装置を増やすことが出来るためコンピュター利用者の利便性が向上する。
また、昨今ノートパソコンを利用する者が増えたが、一般的にノートパソコンは主となる画面の表示領域が狭く利用しづらいことがあったが、本案による補助的な表示装置を簡単に増設することにより利用者の利便性が向上する。
【実施例】
【０００６】  本案の第一実施例を、図１、図２に示す。
図１はコンピュターシステム全体を示す。
コンピュターシステムはコンピュター本体５と主となる表示装置３とキーボード４と本案による表示装置２及び前記表示装置２とコンピュターを結ぶ通信ケーブル６より構成される。なお、図１で示すコンピュターシステムは１例であり、図に示す以外の周辺機器が接続されていてもよい。
図２は前記表示装置２の構成を示す。
表示装置１０は表示器１１と表示器１１を制御するための表示器コントローラー１２及び、表示データを蓄えるメモリー１３及び、外部のパソコン本体からデータやコマンドを受け取る通信器１５と通信ケーブル１６及び、表示装置１０の内部の機器を制御するためのコントローラー１４より構成される。
図２をもとに本案の動作を説明する。
コンピュター本体に設けたソフトウエアにより表示装置１０へ表示する画像データが作成される。画像データは通信ケーブル１６を通じて前記表示装置１０へ送られる。表示装置１０内の通信器１５によりコンピュター本体５より送られたデータが取り込まれる。
前記データはコントローラー１４によりメモリー１３に記録される。表示器コントローラー１２はメモリー１３に記録されたデータをもとに表示器１１へデータを表示する。このような動作によりコンピュター本体のプログラムにより任意のデータを表示装置１０へ表示することができる。
前記表示器には液晶表示器を用いても良いし、プラズマ表示装置等を用いてもよい。
前記コントローラー１４には小型ＣＰＵやＦＰＧＡやＤＳＰ等を利用してもよい。また、前記通信器１５の通信手段として現在ほとんどのコンピュターへ搭載されているＵＳＢ規格あるいはＵＳＢの将来のより高速な規格を用いてもよいし、ＩＥＥＥ１３９４規格を用いてもよい。尚、本案に将来的に考案された通信規格を用いてもよいことは言うまでもない。
また、前記表示装置１０の内部構成は１チップＩＣ化されてもよいし、同等な効果が得られるＩＣの構成にて実現してもよい。また、本案の表示装置１０の電源はＵＳＢ規格の電源供給ラインから供給してもよいし、図示しない電源装置から供給してもよい。
また、前記表示装置１０に図示しない入力機能を設けてもよい。
前記コンピュター本体のプログラムとしては本案による補助的な表示装置へデジタル写真のアルバムを表示してもよい。また、カレンダーの表示、動画の表示、Ｅ−ＭＡＩＬの表示、各種広告宣伝の表示、ゲームソフトの表示、ソフトの操作指示の表示、ＴＶ電話での相手の画像の表示、監視カメラの画像表示等を主となる表示装置と連携した表示もしくは主となる表示装置の影響を受けない独立した表示として利用する。
また、Ｅ−ＭＡＩＬの着信と同時にあらかじめ登録した相手の写真を自動的に表示してもよい。昨今のＥ−ＭＡＩＬアドレスだけでは相手が誰であるかが分かりにくいものであるが、アドレスに連動して相手の写真が表示されれば利用者の利便性が飛躍的に高まる。
上記利用によりコンピュターシステムの表示効率、利用者の利便性が従来の主となる表示装置のみに比べて飛躍的に高まる。
また、本案による表示装置を主となる表示装置として利用すれば汎用の通信ポートのみで画像表示が出来るため、従来のグラフィックボード等が不要になりより低価格なコンピュターシステムを提供することができる。
本案の第２実施例を図３で説明する。
本実施例では表示装置１０に外部メモリー装置２２の
着脱機構を設け、コンピュター本体５より通信機能を用いて上記メモリー装置２２の読み書きを行える様にしたものである。
通信機ｂ２０はコンピュターとの通信及びメモリー装置２２のコントロールを行う。また、上記外部メモリー装置２２に記録されたデジタル画像をコントローラー１４により表示器１１へ直接表示してもよい。その他の構成、作用は第１実施例と同様である。
本案によればたとえばデジタルカメラで撮像した外部メモリー装置として普及しているＳＤメモリーカード、メモリースティック等を直接表示装置１０へ挿入して利用することが出来るため、コンピュター利用者の利便性が向上する。
また、前記表示器１１の大きさが５インチ以下であればコンピュター周辺に手軽に設置する事が出来るし、比較的低価格で実現する事ができるため利用者への経済的な負担が少なくなる。
本案の第３実施例を図４で説明する。
本実施例では通信機ｃ３０とコンピュターシステムとの通信に電磁波を用いたものである。電磁波を用いる事により前記コンピュターシステムとの結線が不要となり補助的表示装置の設置場所が自由になる。尚、電磁波として光を利用してもよい。
また、図示しない無線ネットワークシステムと前記通信機ｃが通信を行ってもよい。
このように電磁波を用いることにより補助的表示装置を室内の自由な場所へ設置して写真を表示したり、広告宣伝を表示したりすることができるため、表示装置の利用価値が高まる。
【産業上の利用可能性】
【０００７】  個人及び法人等で利用されているコンピュターシステム全般で利用できる。
【図面の簡単な説明】
【０００８】
【図１】  本発明による補助的な表示装置を示す図である。
【図２】  本発明による補助的な表示装置の構成１を示す図である。
【図３】  本発明による補助的な表示装置の構成２を示す図である。
【符号の説明】
【０００９】      １  コンピュターシステム
２  表示装置
３  主となる表示装置
４  キーボード
５  コンピュター本体
６  通信ケーブル
１０  表示装置
１１  表示器
１２  表示器コントローラー
１３  メモリー
１４  コントローラ
１５  通信器
１６  通信ケーブル
２０  通信器ｂ
２１  通信ケーブル
２２  外部メモリー装置
３０  通信器ｃ
３１  電磁波
【図１】
0003119015.tif 000003
【図２】
0003119015.tif 000004
【図３】
0003119015.tif 000005
【図４】
0003119015.tif 000006
【手続補正書】
【提出日】平成17年11月29日(2005.11.29)
【手続補正１】
【補正対象書類名】実用新案登録請求の範囲
【補正対象項目名】全文
【補正方法】変更
【補正の内容】
【実用新案登録請求の範囲】
【請求項１】
コンピュターシステムの表示装置において、少なくとも画像表示器とメモリーとコントローラと通信器からなる補助的表示装置。
【請求項２】
コンピュターシステムの表示装置において、主となる表示装置とは別体で設けられ、コンピュターと通信器を通じて表示データーを受けとる事により表示を行う補助的表示装置。
【請求項３】
請求項１ないし２の補助的表示装置において前記通信器にＵＳＢ規格あるいはＩＥＥＥ１３９４規格を用いたことを特徴とする補助的表示装置。
【請求項４】
請求項３の補助的表示装置において外部メモリー装置のコントローラーを有する事を特徴とする補助的表示装置。
【請求項５】
請求項１ないし２の補助的表示装置において補助的表示装置の表示部の大きさが５インチ以下であることを特徴とする補助的表示装置。
【請求項６】
コンピュターシステムの表示装置において、少なくとも画像表示器とメモリーとコントローラとＵＳＢ通信器とＵＳＢ通信ケーブルからなる表示装置。
【請求項７】
請求項１ないし２の補助的表示装置において前記通信器が電磁波を用いてコンピュターシステムと通信することを特徴とする補助的表示装置。
【手続補正２】
【補正対象書類名】明細書
【補正対象項目名】０００８
【補正方法】変更
【補正の内容】
【０００８】
【図１】  本案による補助的な表示装置を示す図である。
【図２】  本案による補助的な表示装置の構成１を示す図である。
【図３】  本案による補助的な表示装置の構成２を示す図である。
【図４】  本案による補助的な表示装置の構成３を示す図である。